(57)【要約】【課題】  子供のわくわくするような興奮、楽しみ、及び玩具に関する興味を向上させるための多機能及び異なる用途を有する玩具を提供すること。【解決手段】  変形可能な玩具は、第１可動部材、第２可動部材、および間に位置し、かつ第１及び第２部材に連結された連結器を含む。連結器は、第１及び第２可動部材を閉位置まで互いに近づくように及び実質的な開位置まで互いに遠ざかるように独立して移動すなわち回動させることを可能にするように構成される。第１及び第２可動部材は少なくとも１つのリビーラーを含む。リビーラーは、第１及び第２可動部材の１つに可動に連結され、かつ第１及び第２可動部材が開位置にある時に少なくとも１つの表面を顕示するために可動である。一実施形態では、玩具は、閉位置では球を、開位置では小像を構成する。【選択図】  図１
2006026384.tif 000002
【特許請求の範囲】
【請求項１】
第１可動部材と、
前記第１可動部材に隣接して位置し、前記第１可動部材にヒンジ式に連結された第２可動部材であって、前記第１可動部材及び前記第２可動部材が開位置まで互いに遠ざかるように移動されるか、あるいは閉位置まで互いに近づくように移動される、前記第２可動部材と、
前記第１可動部材及び前記第２可動部材の少なくとも１つの表面に連結された表示部材であって、前記表示部材は、前記前記第１可動部材及び前記第２可動部材が前記開位置にある時に解放される、前記表示部材と、を備える玩具。
【請求項２】
前記第１可動部材及び前記第２可動部材の間に位置する連結器を含み、
前記第１可動部材は前記連結器の一端部に可動に連結され、
前記第２可動部材は前記連結器の反対側端部に可動に連結される、請求項１に記載の玩具。
【請求項３】
前記表示部材は、前記第１可動部材及び前記第２可動部材の少なくとも１つに可動に連結されたリビーラーを含む、請求項１に記載の玩具。
【請求項４】
前記リビーラーは頭部を構成し、かつ前記頭部の表面は正面を含む、請求項３に記載の玩具。
【請求項５】
前記表示部材は、前記第１可動部材及び前記第２可動部材の少なくとも１つに回転可能に連結された複数のリビーラーを含む、請求項１に記載の玩具。
【請求項６】
前記リビーラーの各々は自身上に形成された画像を具備する少なくとも１つの表面を含む、請求項５に記載の玩具。
【請求項７】
前記第１可動部材及び前記第２可動部材の各々は全体的に半円筒形状を有する、請求項１に記載の玩具。
【請求項８】
前記第１可動部材及び前記第２可動部材の少なくとも１つに連結された錠を含み、
前記錠は前記第１可動部材及び前記第２可動部材を解放可能に固定するように構成される、請求項１に記載の玩具。
【請求項９】
前記第１可動部材及び前記第２可動部材の各々は全体的に立方体形状を有する、請求項１に記載の玩具。
【請求項１０】
第１可動部材と、
前記第１可動部材に隣接して位置し、前記第１可動部材にヒンジ式に連結された第２可動部材と、
前記第１可動部材及び前記第２可動部材を開位置まで互いに遠ざかるように移動させるか、あるいは閉位置まで互いに近づくように移動させることを可能にする、前記第１可動部材及び前記第２可動部材の間に位置する移動手段と、
前記第１可動部材及び前記第２可動部材の少なくとも１つの表面に連結された表示部材であって、前記表示部材は、前記前記第１可動部材及び前記第２可動部材が前記開位置にある時に顕示される、前記表示部材と、を備える玩具。
【請求項１１】
前記移動手段は、前記第１可動部材及び前記第２可動部材の間に位置する連結器を含み、
前記第１可動部材は前記連結器の一端部に可動に連結され、
前記第２可動部材は前記連結器の反対側端部に可動に連結される、請求項１０に記載の玩具。
【請求項１２】
前記表示部材は、前記第１可動部材及び前記第２可動部材の少なくとも１つに可動に連結されるリビーラーを含む、請求項１０に記載の玩具。
【請求項１３】
前記リビーラーは頭部を構成し、かつ前記頭部の表面は正面を含む、請求項１２に記載の玩具。
【請求項１４】
前記表示部材は、前記第１可動部材及び前記第２可動部材の少なくとも１つに回転可能に連結された複数のリビーラーを含む、請求項１０に記載の玩具。
【請求項１５】
前記リビーラーの各々は自身上に形成された画像を具備する少なくとも１つの表面を含む、請求項１４に記載の玩具。
【請求項１６】
前記第１可動部材及び前記第２可動部材の各々は全体的に半円筒形状を有する、請求項１０に記載の玩具。
【請求項１７】
前記第１可動部材及び前記第２可動部材の少なくとも１つに連結された錠を含み、
前記錠は前記第１可動部材及び前記第２可動部材を共に解放可能に固定するように構成される、請求項１０に記載の玩具。
【請求項１８】
前記第１可動部材及び前記第２可動部材の各々は全体的に立方体形状を有する、請求項１０に記載の玩具。
【請求項１９】
第１可動部材と、
前記第１可動部材に隣接して位置する第２可動部材と、
前記第１可動部材及び前記第２可動部材の間に位置する連結器であって、前記第１可動部材は前記連結器の一端部に可動に連結され、前記第２可動部材は前記連結器の反対側端部に可動に連結され、前記第１可動部材及び前記第２可動部材を開位置まで互いに遠ざかるように移動させるか、あるいは閉位置まで互いに近づくように移動させる、前記連結器と、
前記第１可動部材及び前記第２可動部材の少なくとも１つに可動に連結され、前記第１可動部材及び前記第２可動部材が前記開位置にある時に、自身の少なくとも１つの表面を顕示するように移動されるリビーラーと、を備える玩具。
【請求項２０】
前記第１可動部材及び前記第２可動部材の各々は全体的に半円筒形状を有する、請求項１９に記載の玩具。
【請求項２１】
前記リビーラーは頭部を構成し、かつ前記頭部の表面は正面を含む、請求項１９に記載の玩具。
【請求項２２】
前記第１可動部材及び前記第２可動部材の少なくとも１つに回転可能に連結された複数のリビーラーを含む、請求項１９に記載の玩具。
【請求項２３】
前記リビーラーの各々は自身上に形成された画像を具備する少なくとも１つの表面を含む、請求項２２に記載の玩具。
【請求項２４】
前記第１可動部材及び前記第２可動部材の少なくとも１つに連結された錠を含み、
前記錠は前記第１可動部材及び前記第２可動部材を共に解放可能に固定するように構成される、請求項１９に記載の玩具。
【請求項２５】
前記第１可動部材及び前記第２可動部材の各々は全体的に立方体形状を有する、請求項１９に記載の玩具。
【請求項２６】
第１可動部材と、
前記第１可動部材に隣接して位置する第２可動部材と、
前記第１可動部材及び前記第２可動部材を開位置まで互いに遠ざかるように移動させるか、あるいは閉位置まで互いに近づくように移動させることを可能にする、前記第１可動部材及び前記第２可動部材の間に位置する移動手段と、
少なくとも１つの画像を顕示し、前記第１可動部材及び前記第２可動部材の少なくとも１つに連結され、前記前記第１可動部材及び前記第２可動部材が前記開位置にある時に少なくとも１つの画像を顕示する顕示手段と、を備える玩具。
【請求項２７】
前記第１可動部材及び前記第２可動部材の各々は全体的に半円筒形状を有する、請求項２６に記載の玩具。
【請求項２８】
前記第１可動部材及び前記第２可動部材の少なくとも１つに連結された複数のリビーラーを含む、請求項２６に記載の玩具。
【請求項２９】
複数の前記各リビーラーは自身上に形成された画像を具備する少なくとも１つの表面を含む、請求項２８に記載の玩具。
【請求項３０】
前記第１可動部材及び前記第２可動部材が前記閉位置にある時に、該第１可動部材及び該第２可動部材を共に解放可能に固定する、請求項２６に記載の玩具。
【請求項３１】
第１可動部材と、
前記第１可動部材に隣接して位置する第２可動部材と、
前記第１可動部材及び前記第２可動部材の間に位置する連結器であって、前記第１可動部材は前記連結器の一端部に可動に連結され、前記第２可動部材は前記連結器の反対側端部に可動に連結され、前記第１可動部材及び前記第２可動部材を開位置まで互いに遠ざかるように移動させるか、あるいは閉位置まで互いに近づくように移動させる、前記連結器と、
前記第１可動部材に可動に連結された頭部と、
前記頭部に隣接して位置し、かつ前記第１可動部材の内側表面に装着される本体と、
前記本体の反対側に位置し、かつ該本体に可動に連結された少なくとも１つの腕と、
前記第２可動部材の内側表面に連結された支持部と、
前記支持部に隣接して位置し、かつ前記第２可動部材に可動に連結された基体であって、前記頭部、前記腕、及び前記基体は、前記第１可動部材及び前記第２可動部材が前記開位置にある時に後退位置から顕示位置まで独立して可動であり、及び、前記頭部、前記腕、及び前記基体は、前記第１可動部材及び前記第２可動部材が前記閉位置にある時に前記顕示位置から前記後退位置まで独立して可動である、前記基体と、を備える玩具。
【請求項３２】
前記第１可動部材及び前記第２可動部材の各々は全体的に半円筒形状を有する、請求項３１に記載の玩具。
【請求項３３】
前記頭部の少なくとも１つの表面は正面を含む、請求項３１に記載の玩具。
【請求項３４】
前記第１可動部材及び前記第２可動部材の少なくとも１つに連結された錠を含み、
前記錠は前記第１可動部材及び前記第２可動部材を共に解放可能に固定するように構成される、請求項３１に記載の玩具。
【請求項３５】
前記第１可動部材及び前記第２可動部材の各々は全体的に立方体形状を有する、請求項３１に記載の玩具。
【請求項３６】
前記基体は、前記第１及び第２可動部材が前記閉位置にある時に前記頭部に噛み合い係合するように形成された受け口を含む、請求項３１に記載の玩具。
【発明の詳細な説明】
【技術分野】
【０００１】
本発明は、全体的に玩具に関し、小像を顕示させるか隠すために、互いに近づくように回動するか、あるいは互いに遠ざかるように回動する、対向可能な可動部材を含む変形可能な玩具に特に関する。
【背景技術】
【０００２】
玩具は子供にわくわくするような興奮と楽しみを与える。玩具は、幾つかの異なる寸法、形状、形状構成があり、かつ様々な機能をする。幾つかの玩具は限られた数の機能を有する。限られた数の機能又は用途を有する玩具は、子供の興味を直ぐに失う傾向がある。
【発明の開示】
【発明が解決しようとする課題】
【０００３】
従って、子供のわくわくするような興奮、楽しみ、及び玩具に関する興味を向上させるべく、多機能及び異なる用途を有する玩具に対する要求がある。
【課題を解決するための手段】
【０００４】
一実施形態では、変形する玩具は第１可動部材と第２可動部材を含む。第１可動部材は半円筒形状を有しており、小像の頂部部分を含む。特に、第１可動部材の内側表面は、本体と、前記本体の頂部に隣接して位置づけられ且つ可動に連結された第１顕示部材(reveal member)である第１リビーラー(revealer)と、前記本体の各側に可動に連結された一対の第２リビーラーと、を含む。一実施形態では、第１リビーラーは正面(face)を具備する頭部となるように形状構成され、かつ第２リビーラーは各々が腕となるように形状構成される。
【０００５】
一実施形態では、第２可動部材は半円筒形状を有し、かつ小像の下側部分を含む。第２可動部材の寸法及び形状は、第１可動部材の寸法及び形状に相当する。第２可動部材は支持部と、前記支持部に可動に連結された第３顕示部材である第３リビーラーを含む。この実施形態では、支持部は１対の脚となるように形状構成され、かつ第３リビーラーは一対の脚となるように形状構成される。
【０００６】
一実施形態では、第１及び第２可動部材は、各々が、第１及び第２可動部材間に位置づけられた連結器であるヒンジに可動に連結される。第１可動部材は連結器の一端部に連結される。第２可動部材は、連結器の異なる対向する端部に可動に連結される。連結器は、第１及び第２部材が実質的に互いに隣接するか、あるいは閉鎖位置にくるまで、該第１及び第２部材が互いに対向するように独立して移動することを可能にするように構成される。連結器は、第１及び第２部材が実質的な開位置にくるまで、該第１及び第２部材が互いに遠ざかるように移動することを可能にするように構成される。
【０００７】
本発明の変形可能な玩具は、第１及び第２可動部材の内側表面に結合された小像を顕示させるか又は隠すために、子供達が第１及び第２部材が互いに近づくように移動させるか、あるいはこれらの部材が互いに遠ざかるよううに移動させることを可能にする。
【０００８】
変形する玩具が閉位置にある場合、変形する玩具は玩具ボールのように回転し得るか、投げ得るか、あるいは弾み得る。玩具を小像に変形するために、使用者は第１及び第２可動部材を開いて分離し、かつ該第１及び第２可動部材が互いに遠ざかるように移動させる。その後、使用者は第１リビーラーである頭部を移動すなわち回転させて正面を有する該頭部を顕示させる。その後、使用者は第２リビーラーである腕が本体から離れるように移動すなわち回転させて小像の腕を顕示させる。次いで、使用者は第３可動部材である小像の脚が支持部から離れるように、支持部に対して実質的に鉛直な、長手方向に直角な横方向まで下向きに移動すなわち回転させる。開位置では、こうした子供の使用者は、変形可能な玩具を可動小像、表示器、あるいは何れか他の適切な機能に従って使用し得る。
【０００９】
上記実施形態では、変形する玩具は玩具内部に顕示又は隠し得る小像を含むが、変形する玩具は何れかの適切な小像、特徴、形状、画像、あるいは形状構成を含み得ることを認識すべきである。
【００１０】
別の実施形態では、第１及び第２可動部材は全体的に正方形状をしており、かつ互いに向き合うように近づいて実質的な閉鎖位置で立方体を構成する。第１及び第２可動部材は何れか適切な寸法又は形状とし得ることを認識すべきである。
【００１１】
従って、異なる玩具に変形する、変形可能な玩具を提供することは、本発明の利点である。
【００１２】
異なる機能を有する、異なる玩具に変形する、変形可能な玩具を提供することは本発明の別の利点である。
【００１３】
本発明の追加機構及び利点は以下の本発明の詳細な説明に記載され、かつ該詳細な説明から明らかとなる。
【発明を実施するための最良の形態】
【００１４】
本発明は、一般的に、玩具に関し、特に、小像を顕示及び隠すために開閉するように構成された変形可能な玩具に関する。
【００１５】
ここで、図１〜４を参照すると、一実施形態では、変形可能な玩具１０は第１可動部材１２、第２可動部材１４、および、第１可動部材と第２可動部材の間に連結された連結器であるヒンジ２０を含む。一実施形態では、第１可動部材及び第２可動部材は対応する半円形形状を有する。第１可動部材は、連結器２０一端部に可動に連結され、かつ連結器の端部を貫通して延在する水平軸線の周りに動いて回動すなわち回転する。同様に、第２可動部材１４は、連結器２０の反対側端部に可動に連結され、かつ連結器の端部を貫通して延在する水平軸線の周りに動いて回動すなわち回転する。第１可動部材１２及び第２可動部材１４は、これら第１可動部材及び第２可動部材が互いに実質的に隣接するか、あるいは図４に図示するように閉位置にくるまで互いに対向するように移動することができる。第１可動部材１２及び第２可動部材１４は、図１に図示するような開位置にくるまで互いに離れて移動することができる。この実施形態では、第１可動部材１２及び第２可動部材１４は、半円筒形状を有し、かつ同じ寸法をしている。第１及び第２可動部材は同じ形状、異なる形状、あるいは任意の適切な形状を有し得ることを認識すべきである。第１及び第２可動部材が同じ寸法、異なる寸法、あるいは任意の適切な寸法とし得ることも認識すべきである。別の実施形態では、連結器であるヒンジは、第１可動部材及び第２可動部材の端部に一体形成され、かつ第１及び第２可動部材が、上述したように、互いに対向するように及び互いに遠ざかるように回動すなわち移動することを可能にする。また別の実施形態では、第１及び第２可動部材はこれら第１及び第２可動部材が互いに対向するように及び互いに遠ざかるように回動すなわち移動することを可能にするためにヒンジ式に結合される
【００１６】
一実施形態では、表示部材１３は、それぞれ、第１及び第２可動部材１２及び１４の少なくとも１つの内側表面に結合される。この実施形態では、表示部材１３は図又は小像である。表示部材が、図、物体、文字、画像、動物、形状又は何れか他の適切な形状構成、あるいは物体とし得ることを認識すべきである。この実施形態では、表示部材１３は図又は小像であり、かつ図の頭部として形成された第１リビーラー１６と、第１リビーラー１６に隣接して位置する本体１８と、本体１８の互いに反対側に可動に連結された腕形態の一対の第２リビーラー２４と、第１及び第２可動部材の間に連結された連結器２０と、連結器に隣接して位置する支持部２２と、支持部２２に隣接して位置し、かつ第２可動部材に可動に連結された第３リビーラー２６と、を含む。別の実施形態では、連結器２０は、第１及び第２可動部材の外面に取り付けられる。したがって、この実施形態では、表示部材１３は、第１及び第２可動部材の内側表面に連結された図又は物体の一部としての連結器を含まない。
【００１７】
一実施形態では、第１可動部材１２は、図１に図示するような中空内部部分を具備する半円筒形状をしている。本体部材である本体１８は、第１可動部材１２の内側表面に結合される。一実施形態では、本体１８は、適切な接着剤又は他の適切な接着方法を使用して、第１可動部材の内側表面に固定結合された個別部品である。別の実施形態では、本体１８は、第１可動部材の内側表面に一体成形される。
【００１８】
一実施形態では、第１顕示部材である第１リビーラー１６は本体１８の頂部に隣接して位置し、かつ第１可動部材１２に可動に連結される。第１リビーラーは、第１リビーラー１６の各側から延在する回動部材である回動ピン１７を含む。回動ピン１７の各端部は、第１可動部材１２に可動に連結される。一実施形態では、回動ピンは第１リビーラーに取り付けられた別個の構成要素である。別の実施形態では、回動ピン１７は、第１リビーラーと一体成形される。回動ピン１７は、第１リビーラーが、第１可動部材１２の一端部を全体的に貫通して延在する水平軸線の周りで移動、回動又は回転することを可能にするように構成される。特に、第１リビーラー１６は図３に示す、隠された位置から図１に示す、顕示位置まで移動可能すなわち回転可能である。第１リビーラー１６は隠された位置から顕示位置まで及び顕示位置から隠された位置まで移動し得ることを理解すべきである。
【００１９】
一実施形態では、第１リビーラー、図１に示すような正面(face)すなわち顔のような画像を有する少なくとも１つの表面を含む。第１リビーラーが、図３に示すような隠された位置にある時、画像は隠されるか又は覆い隠される。第１リビーラーが図１に示すような顕示位置まで移動する時、顔は、この時、顕示され、露出されるか、あるいは視認し得る。変形可能な玩具の各々が同一の画像又は顔。少なくとも１つの異なる画像又は顔、あるいは複数の異なる画像又は顔を含み得ることを理解すべきである。第１リビーラー１６の１つ以上の表面がこうした顔の画像を含み得ることも理解すべきである。
【００２０】
一実施形態では、少なくとも１つの第２顕示部材である第２リビーラー、および好ましくは２つの第２リビーラー２４が本体１８に可動に連結される。図示した実施形態では、第２リビーラー２４は小像の腕として構成される。第２リビーラー２４は何れかの適切な寸法又は形状とし得ることを認識すべきである。第２リビーラー２４は、本体１８の反対側に可動すなわち回転可能に連結される。第２リビーラーは本体の何れか適切な側に連結し得ることを認識すべきである。回動ピンのようなコネクター（図示せず）が第２リビーラー２４及び本体１８の各々に連結され、第２リビーラーを本体に対して移動すなわち回転可能にしている。第２リビーラー２４は、図３に示すような後退位置から、図１に示すような延長されたか又は後退されていない位置まで移動する。第２リビーラーは、後退位置から延長位置まで及び延長位置から後退位置まで移動し得ることを理解すべきである。
【００２１】
本体１８、第１リビーラー１６（すなわち、小像の頭部）、及び第２リビーラー２４（すなわち、小像の腕）は協働又は共同して第１可動部材１２の内側表面に連結された小像の上側部分を構成する。
【００２２】
一実施形態では、第２可動部材１４は、図１に図示するような中空内部部分を具備する半円筒形状をしている。支持部材である支持部２２は、第２可動部材１４の内側表面に連結される。一実施形態では、支持部２２は、適切な接着剤又は他の適切な取付方法を使用して、第１可動部材の内側表面に固定連結された別個の部材である構成要素である。別の実施形態では、支持部２２は、第２可動部材の内側表面と一体成形される。
【００２３】
一実施形態では、第３顕示部材である第３リビーラ２６は支持部２２の底部に隣接して位置し、かつ第２可動部材１４に可動に連結される。第３リビーラーは、第３リビーラー２６の各側から延在する回動部材である回動ピン２７を含む。回動ピン２７の各端部は第２可動部材１４に可動に連結される。一実施形態では、回動ピン２７は第３リビーラーに取り付けられる別個の構成要素である。別の実施形態では、回動ピン２７は、第３リビーラーと一体成形される。回動ピン２７は、第３リビーラーを、第２可動部材１４の一端部を全体的に貫通して延在する水平軸線の周りに移動、回動又は回転可能にするように構成される。特に、第３リビーラー２６は、図３に示す、隠された位置から、図１に示す顕示され、露出され、あるいは隠されていない位置まで移動可能すなわち回転可能である。第３リビーラー２６が隠された位置から顕示位置まで及び顕示位置から隠された位置まで移動し得ることを理解すべきである。
【００２４】
一実施形態では、第３リビーラー２６は、図１に示すような画像を具備する少なくとも１つの表面を含む。第３リビーラーが図３に示すような隠れた位置にある場合、該第３リビーラー２６（すなわち、小像の脚）は見えないようにされるか隠される。その後、第３リビーラーは支持部２２から図１に示すような顕示位置まで遠ざかるように移動、回動、あるいは回転される。
【００２５】
さらに、第３リビーラーは、第１リビーラー１６の頂面２８の寸法及び形状に相当する受容器である凹表面３０を含む。第１可動部材及び第２可動部材が互いに図４に示す閉位置まで移動する時、第１リビーラー１６の頂面２８は受容器３０内にぴったりと入る。頂面２８及び受容器３０の噛合い係合は、第１及び第２可動部材が互いに閉じることを可能にする。
【００２６】
支持部２２及び第３リビーラー２６（すなわち、小像の脚）は協働又は共同して、第２可動部材１４の内側表面に連結された小像の下部又は底部を構成する。
【００２７】
従って、第１可動部材１２の内側表面に連結された小像の上部と、第２可動部材１４の内側表面に連結された小像の下部と、は協働して変形可能な玩具１０の小像を構成する。何れかの適切な絵、小像、形状構成、文字、あるいは何れか他の適切な物体が第１及び第２可動部材の内側表面に構成又は連結し得ることを理解すべきである。
【００２８】
一実施形態では、玩具１０は錠止部材又は錠（図示せず）を含む。錠は、第１及び第２可動部材の少なくとも１つに連結され、かつ第１及び第２可動部材が閉位置にある時に、該第１及び第２可動部材を解放可能に共に固定するように構成される。何れか適切な錠、ラッチ又は固定部材が第１及び／又は第２可動部材に取り付け得ることを理解すべきである。
【００２９】
図５を参照すると、各々が立方体又は全体的に正方形状を有する第１可動部材１０２及び第２可動部材１０４を変形可能な玩具１００が含む、本発明の別の実施形態が図示されている。この実施形態では、第１リビーラー１０６は、第１可動部材１０２に回転可能に取り付けられ、かつ本体１０８に隣接している。玩具は、腕として構成された１対の第２リビーラー１１４を含む。連結器１１０は、第１及び第２可動部材１０２及び１０４の各々の一端部のそれぞれに回転可能に連結されている。一対の脚として形成された支持部１１２は、第２可動部材１０４の内側表面に連結される。脚として形成された第３リビーラー１１６は、第２可動部材１０４に回転可能に連結される。第１可動部材及び第２可動部材を何れかの適切な形状又は形状構成とし得るものであり、かつ何れか適切な寸法を有し得るものとすることを理解すべきである。
【００３０】
作用
図１〜図４を参照すると、一実施形態では、変形可能な玩具１０は、玩具の内側表面に取り付けられた小像のような物体を顕示又は隠すために全体的に開閉する。最初に、玩具の第１可動部材１２及び第２可動部材１４は連結器２０の周りで互いに近づくように図４に示すような閉位置まで移動すなわち回動する。閉位置では、玩具１０は、転がり、弾み、動かし、あるいはスピンを付け得る球又はボールを構成する。この様にして、玩具１０はビー玉遊び又は何れか他の適切なゲームをするために使用し得る。
【００３１】
玩具内部の小像を顕示するために変形可能な玩具１０を開くために、使用者は第１及び第２可動部材１２及び１４をそれぞれ分離するか、引っ張るか、あるいは第１及び第２可動部材を押圧する。使用者は、第１及び第２可動部材が実質的に遠ざかった図１に示す開位置にくるまで、連結器２０の周りで第１及び第２可動部材を移動すなわち回動させる。開位置では、第１可動部材１２は、第２可動部材１４に隣接し且つ該第２可動部材１４より上に位置する。この位置では、第１及び第２可動部材の内側表面は図１に図示するのと全体的に同一な方向に面するか又は示す。
【００３２】
変形可能な玩具１０が開位置にある時、使用者は小像の第１リビーラーである頭部１６を第１可動部材１２の内側表面１２から上向きに遠ざけるように移動すなわち回転させる。頭部の一表面に含まれた顔が図１に示すように該頭部から外向きに面するか、あるいは実質的に視認し得るまで、頭部は上向きに移動又は回転する。使用者は、この時、第２リビーラーである腕２４の１つ以上を、第１可動部材１２の内側表面から図１に示す延長位置まで移動させる。腕２４は、本体１８に対して上向き又は下向きに何れか適切な単数又は複数の位置まで独立して移動し得る。脚部分の底部表面が第２可動部材１４の内側表面に対して横方向すなわち長手方向に直角になるまで、使用者は、この時、第３リビーラーである小像２６の脚部分を移動すなわち回転させる。脚部分２６の底部表面は、玩具１０をテーブルタップのような平坦な表面上で直立することを可能にするために実質的に平らすなわち平坦である。リビーラー部材であるリビーラーの全てが隠された位置から顕示されるか又は移動された後で、玩具１０は作動文字又は他の適切な文字のような移動可能な字又は小像として使用し得る。
【００３３】
玩具１０を閉位置まで戻すために、使用者は脚２６を支持部２２に向けて上向きに移動すなわち回動させ、腕を第１可動部材１２の内側表面に向けて内向きに移動すなわち回動させ、頭部１６を、図３の矢印で全体的に示すような第１可動部材の内側表面に向けて下向きに移動すなわち回動させる。特に、脚２６は、図４に示すような第２可動部材１４の丸みのある外側表面に相当する丸みのある表面を顕示するために回動する。さらに、受容器３０は頭部１６の頂面２８に係合するように位置づけられる。腕２４は内向きに回動して、第１及び第２可動部材を共に閉じることを可能にするように、対応する開放空間である第２可動部材１４によって画成される受容領域２９内にぴったりと嵌まる。頭部１６は顔を隠し、かつ頭部１６の丸みのある外側表面を第１可動部材１２の丸みのある外側表面と整合させるように移動すなわち回動する。第１及び第２可動部材が図４に示す閉位置まで互いに実質的に隣接するまで、使用者は第１及び第２可動部材を連結器２０の周りで互いに近づくように移動すなわち回動させる。
【００３４】
したがって、本発明の変形可能な玩具１０は、この玩具１０が閉位置まで回動してボールとして使用し得るため、こうした子供の使用者にわくわくするような興奮と楽しみを与える。玩具１０は直立し、かつアクションフィギュア又は装飾ディスプレイとして使用し得る画像又は小像を顕示するために開放し得る。小像が何れか適切な小像とし得るものであり、かつ何れか適切な寸法、画像、顔、あるいは形状を有し得ることを理解すべきである。さらに、可動部材、リビーラー、本体、支持部あるいは何れか他の適切な構成要素の形状及び寸法は、任意の適切な寸法、形状又は形状構成とし得る。
【００３５】
上述した玩具は１つ以上の顕示部材であるリビーラーを含むが、この玩具はリビーラーを含まないか（すなわち、画像又は他の物体が、第１及び第２可動部材の少なくとも１つの内側表面に形成される）、１つのリビーラー又は複数のリビーラーを含み得るものとし得ることを理解すべきである。
【００３６】
本願明細書に記述した本発明の好ましい実施形態に対する種々の変形及び変更が当業者には自明であることを理解すべきである。こうした変形及び変更は本発明の精神及び範囲から逸脱せず、かつその意図した利便性を減じることなく成し得る。従って、こうした変形及び変更は添付の特許請求の請求項によって網羅されることを意図している。
【図面の簡単な説明】
【００３７】
【図１】開位置にある変形可能な玩具を図示する本発明の変形可能な玩具の一実施形態の拡大斜視図である。
【図２】図１の実施形態の背面図である。
【図３】異なるリビーラーの動きを示す図１の実施形態の拡大斜視図である。
【図４】閉位置にある変形可能な玩具を図示する図１の実施形態の拡大斜視図である。
【図５】本発明の変形可能な玩具の別の実施形態の拡大斜視図である。
【符号の説明】
【００３８】
１０  玩具
１２  第１可動部材
１３  表示部材
１４  第２可動部材
１６  第１リビーラー
１７、２７  回動ピン
１８  本体
２０  連結器
２２  支持部
２４  第２リビーラー
２６  第３リビーラー
２８  頂面
２９  受容領域
３０  受容器
１００  変形可能な玩具
１０２  第１可動部材
１０４  第２可動部材
１０６  第１リビーラー
１０８  本体
１１０  連結器
１１２  支持部
１１４  第２リビーラー
１１６  第３リビーラー
【図１】
2006026384.tif 000003
【図２】
2006026384.tif 000004
【図３】
2006026384.tif 000005
【図４】
2006026384.tif 000006
【図５】
2006026384.tif 000007